(57)【要約】【課題】規格化された大角形の配線器具を３つまで取付けられるサイズに形成された取付枠に、２つのワイドスイッチと１つの大角形の配線器具とを取付ける場合において、既存の汎用型の大角形の配線器具を用いることができる配線器具ユニットを提供する。【解決手段】取付枠２の上段又は下段に取付けられ、縦・横寸法が大角形の配線器具の操作部より大きく設定されたワイドタイプの第１スイッチハンドル６を備えた第１ワイドスイッチ２２と、取付枠２の下段又は上段に取付けられた大角形の配線器具１０と、取付枠２の中段に取付けられ、縦・横寸法が大角形の配線器具の作用部より大きく設定されるとともに縦寸法が第１スイッチハンドル６と大角形の配線器具１０とに当接しない寸法に設定されたワイドタイプの第２スイッチハンドル２５を有する第２ワイドスイッチ２３とを具備する。【選択図】    図１
2004201381.tif 000002
【特許請求の範囲】
【請求項１】
規格化された大角形の配線器具を３つまで取付けられるサイズに形成された取付枠と；
前記取付枠の上段又は下段に取付けられ、縦・横寸法が大角形の前記配線器具の作用部より大きく設定されたワイドタイプの第１スイッチハンドルを備えた第１ワイドスイッチと；
前記取付枠の下段又は上段に取付けられた大角形の配線器具と；
前記取付枠の中段に取付けられ、縦・横寸法が大角形の前記配線器具の作用部より大きく設定されるとともに縦寸法が前記第１スイッチハンドルと大角形の前記配線器具とに当接しない寸法に設定されたワイドタイプの第２スイッチハンドルを有する第２ワイドスイッチと；
前記取付枠に取付けられ、前記第１スイッチハンドルと前記第２スイッチハンドルと大角形の前記配線器具との周囲を囲む開口部が形成された化粧プレートと；
を具備する配線器具ユニット。
【請求項２】
前記第１スイッチハンドルと前記第２スイッチハンドルとの縦寸法は、前記化粧プレートの前記開口部における前記第１スイッチハンドルと前記第２スイッチハンドルとが位置する領域の縦寸法の１／２に設定されている請求項１記載の配線器具ユニット。
【発明の詳細な説明】
【０００１】
【発明の属する技術分野】本発明は、２つのワイドスイッチと１つの大角形の配線器具とを取付枠に取付けた配線器具ユニットに関する。
【０００２】
【従来の技術】従来、壁等の造営面には、取付枠にスイッチやコンセント等の配線器具を取付けて構成される配線器具ユニットが取付けられている。取付枠は、ＪＩＳにより大角形の配線器具を３つ連用して取付けられる大きさに規格化されているものが最も普及している。しかし、この取付枠に対して、大角形の配線器具と大角形ではないワイド型の配線器具とを取付ける場合もあり、その一例として、２つの大角形の配線器具（コンセント）と１つのワイド型の配線器具（ワイドスイッチ）とを取付けたものが開示されている（例えば、特許文献１参照）。
【０００３】
ここで、大角形の配線器具を３つ取付可能な取付枠に３つのワイド型の配線器具（ワイドスイッチ）を取付けた場合の配線器具ユニットの構造を図４に基づいて説明する。配線器具ユニット１は、取付枠２、この取付枠２に取付けられた３つのワイドスイッチ３、取付枠２に取付けられた枠状のアダプタ２ａ、アダプタ２ａに取付けられた化粧プレート４等により構成されている。各ワイドスイッチ３は、取付枠２に取付けられたスイッチ本体５と、スイッチ本体５に連結されてシーソー動作し、そのシーソー動作により照明器具等の負荷をオン・オフさせるワイドタイプのスイッチハンドル６とにより構成されている。スイッチハンドル６の裏面には、スイッチ本体５に形成された係合凹部７に選択的に係合される３つの係合凸部８ａ、８ｂ、８ｃが形成されている。化粧プレート４には、３つのスイッチハンドル６の周囲を囲む開口部９が形成されている。
【０００４】
各スイッチハンドル６は、その縦・横寸法が大角形の前記配線器具のスイッチハンドルより大きく設定されたワイドタイプであり、その縦寸法“ａ”は、各スイッチ本体５の縦寸法“Ａ”より大きく設定されている。このため、各ワイドスイッチ３におけるスイッチ本体５とスイッチハンドル６との連結に際しては、上段のワイドスイッチ３では、係合凸部８ｃが係合凹部７に係合されることにより連結され、中段のワイドスイッチ３では、係合凸部８ｂが係合凹部７に係合されることにより連結され、下段のワイドスイッチ３では、係合凸部８ａが係合凹部７に係合されることにより連結されている。
【０００５】
図４に示した配線器具ユニット１において、下段のワイドスイッチ３に代えて大角形の配線器具であるコンセントを使用したい場合、単純にワイドスイッチ３に代えて汎用型のコンセント１０を取付けると、中段に位置するワイドスイッチ３のスイッチハンドル６がコンセント１０の正面部分に当接する（図５参照）。このため、単純にワイドスイッチ３に代えて汎用型のコンセント１０を使用することはできない。
【０００６】
そこで、２つのワイドスイッチ３と大角形の配線器具である１つのコンセントとを有する配線器具ユニット１ａを実現する場合には、図６に示すように、汎用型のコンセントに代えて専用コンセント１０ａを準備する必要がある。この専用コンセント１０ａには、正面部分の上側に中段のワイドスイッチ３のスイッチハンドル６との当接を避けるために段差部１１を形成しなければならず、さらに、プラグ差込穴１２を専用コンセント１０ａの縦方向のセンター位置から下側に偏心した位置に形成しなければならない。
【０００７】
【特許文献１】
実開平６−３１３２２号公報
【０００８】
【発明が解決しようとする課題】２つのワイドスイッチ３と１つのコンセントとを有する配線器具ユニット１ａを実現するためには、図６に示すように、専用コンセント１０ａを使用する必要があり、コストアップとなる。
【０００９】
本発明の目的は、規格化された大角形の配線器具を３つまで取付けられるサイズに形成された取付枠に、２つのワイドスイッチと１つの大角形の配線器具とを取付ける場合において、既存の汎用型の大角形の配線器具を用いることができる配線器具ユニットを提供することである。
【００１０】
【課題を解決するための手段】請求項１記載の発明の配線器具ユニットは、規格化された大角形の配線器具を３つまで取付けられるサイズに形成された取付枠と；前記取付枠の上段又は下段に取付けられ、縦・横寸法が大角形の前記配線器具の作用部より大きく設定されたワイドタイプの第１スイッチハンドルを備えた第１ワイドスイッチと；前記取付枠の下段又は上段に取付けられた大角形の配線器具と；前記取付枠の中段に取付けられ、縦・横寸法が大角形の前記配線器具の作用部より大きく設定されるとともに縦寸法が前記第１スイッチハンドルと大角形の前記配線器具とに当接しない寸法に設定されたワイドタイプの第２スイッチハンドルを有する第２ワイドスイッチと；前記取付枠に取付けられ、前記第１スイッチハンドルと前記第２スイッチハンドルと大角形の前記配線器具との周囲を囲む開口部が形成された化粧プレートと；を具備する。
【００１１】
ここで、「配線器具の作用部」とは、その配線器具の作用を奏する部分を意味し、例えば、配線器具がスイッチであればスイッチハンドル、配線器具がコンセントであればプラグ差込穴が形成されている部分等である。
【００１２】
したがって、第１ワイドスイッチと第２ワイドスイッチと大角形の配線器具とを取付枠に取付けた場合、既存の大角形の配線器具をそのまま使用することができ、大角形の専用の配線器具を新たに作成することが不要となる。また、第１スイッチハンドルとして既存のワイドタイプのスイッチハンドルを使用することが可能であり、それよりも小型となる第２スイッチハンドルを専用品として新たに準備するだけでよい。
【００１３】
この配線器具ユニットの構成部品となる大角形の配線器具としては、コンセント、各種スイッチ、調光器等のモジュールタイプの調整器具等が挙げられる。
【００１４】
なお、化粧プレートとしては、一体形成された専用のものでもよく、又は、３つのワイドスイッチを備えた配線器具ユニットにおいて使用していた既存の化粧プレートの内側に大角形の配線器具の周囲を囲む略Ｕ字形の目隠板を取付けたものでもよい。
【００１５】
また、第１ワイドスイッチと大角形の配線器具との配置関係については、第１ワイドスイッチを取付枠の上段に配置した場合には大角形の配線器具が取付枠の下段に配置され、第１ワイドスイッチを取付枠の下段に配置した場合には大角形の配線器具が取付枠の上段に配置される。
【００１６】
請求項２記載の発明は、請求項１記載の配線器具ユニットにおいて、前記第１スイッチハンドルと前記第２スイッチハンドルとの縦寸法は、前記化粧プレートの前記開口部における前記第１スイッチハンドルと前記第２スイッチハンドルとが位置する領域の縦寸法の１／２に設定されている。
【００１７】
したがって、第１スイッチハンドルと第２スイッチハンドルとが同じサイズになる。
【００１８】
【発明の実施の形態】本発明の第１の実施の形態を図１に基づいて説明する。なお、図４ないし図６において説明した部分と同じ部分は同じ符号で示し、説明も省略する（以下の実施の形態でも同じ）。図１（ａ）は配線器具ユニットを示す正面図、図１（ｂ）は一部を断面にして示す側面図である。
【００１９】
本実施の形態の配線器具ユニット２１は、取付枠２、この取付枠２に取付けられた第１ワイドスイッチ２２、第２ワイドスイッチ２３、大角形の配線器具であるコンセント１０、取付枠２に取付けられた枠状のアダプタ２ａ、アダプタ２ａに取付けられた化粧プレート２４等により構成されている。
【００２０】
第１ワイドスイッチ２２は、図４において説明した上段のワイドスイッチ３と同じ構造であり、取付枠２の上段に取付けられたスイッチ本体５と、スイッチ本体５に連結されてシーソー動作し、そのシーソー動作により照明器具等の負荷をオン・オフさせるワイドタイプの第１スイッチハンドル６とにより構成されている。また、第１スイッチハンドル６の裏面には、スイッチ本体５に形成された係合凹部７に選択的に係合される３つの係合凸部８ａ、８ｂ、８ｃが形成され、この第１ワイドスイッチ２２では係合凸部８ｃが係合凹部７に係合されている。第１スイッチハンドル６の縦・横寸法は、大角形の配線器具の作用部である当該配線器具のスイッチハンドルより大きく設定されている。
【００２１】
第２ワイドスイッチ２３は、取付枠２の中段に取付けられたスイッチ本体５と、スイッチ本体５に連結されてシーソー動作し、そのシーソー動作により照明器具等の負荷をオン・オフさせるワイドタイプの第２スイッチハンドル２５とにより構成されている。第２スイッチハンドル２５の裏面には、スイッチ本体５に形成された係合凹部７に係合される１つの係合凸部２６が形成されている。係合凸部２６は、第２スイッチハンドル２５の縦方向のセンター位置から僅かに下方へ偏心した位置に形成されている。第２スイッチハンドル２５はその縦・横寸法が大角形の配線器具の作用部である当該配線器具のスイッチハンドルより大きく設定されたワイドタイプであり、かつ、その縦寸法“ａ´”は第１スイッチハンドル６の縦寸法“ａ”より小さく設定され、かつ、縦寸法が第１スイッチハンドル６とコンセント１０とに当接しない寸法に設定されている。
【００２２】
大角形の配線器具であるコンセント１０は既存の汎用型のものであり、縦方向のセンター位置にプラグ差込穴１２が形成されている。
【００２３】
化粧プレート２４には、第１スイッチハンドル６と第２スイッチハンドル２５とコンセント１０との周囲を囲む開口部２７が形成されている。
【００２４】
このような構成において、この配線器具ユニット２１においては、既存の汎用型のコンセント１０をそのまま使用することができ、また、第１ワイドスイッチ２２として既存のワイドタイプのものを使用することができ、新たな部品としては、第２スイッチハンドル２５と化粧プレート２４とを形成すればよく、これらの第２スイッチハンドル２５や化粧プレート２４の形成を安価に行える。
【００２５】
このため、規格化された大角形の配線器具を３つまで取付けられるサイズに形成された取付枠２に２つのワイドスイッチ（第１ワイドスイッチ２２、第２ワイドスイッチ２３）と大角形の配線器具である１つのコンセント１０とを取付ける場合において、既存の汎用型のコンセント１０を用いることにより、安価な構造の配線器具ユニット２１を構成することができる。
【００２６】
さらに、本実施の形態によれば、コンセント１０以外の既存の大角形の他の配線器具、例えば、各種のスイッチ、調光器などのモジュールタイプの調整器具等を第１ワイドスイッチ２２及び第２ワイドスイッチ２３と組み合わせて用いることができ、組合せの制約がないので製品の仕様の自由度を容易に高めることができる。
【００２７】
なお、本実施の形態では、化粧プレート２４を新たに形成する場合を例に挙げて説明したが、図４の従来例で示したように３つのワイド型の配線器具（ワイドスイッチ）を取付けた場合に使用していた既存の化粧プレート４の内側に、コンセント１０の周囲を囲む略Ｕ字形の目隠板２８を取付けることにより化粧プレート２４ａを形成してもよい（図２参照）。この場合には、既存の化粧プレート４を化粧プレート２４ａの一部として用いることができ、新たに小型の部品である目隠板２８を形成すればよく、より安価な構造となる。
【００２８】
本発明の第２の実施の形態を図３に基づいて説明する。図３（ａ）は配線器具ユニットを示す正面図、図３（ｂ）は一部を断面にして示す側面図である。本実施の形態の配線器具ユニット３１は、取付枠２、この取付枠２に取付けられた第１ワイドスイッチ３２、第２ワイドスイッチ３３、大角形の配線器具であるコンセント１０、取付枠２に取付けられた枠状のアダプタ２ａ、アダプタ２ａに取付けられた化粧プレート２４等により構成されている。
【００２９】
第１ワイドスイッチ３２は、取付枠２の上段に取付けられたスイッチ本体５と、スイッチ本体５に連結されてシーソー動作し、そのシーソー動作により照明器具等の負荷をオン・オフさせるワイドタイプの第１スイッチハンドル３４とにより構成されている。第１スイッチハンドル３４の裏面には、スイッチ本体５に形成された係合凹部７に選択的に係合される２つの係合凸部３５ａ、３５ｂが形成され、この第１ワイドスイッチ３２では係合凸部３５ｂが係合凹部７に係合されている。
【００３０】
第２ワイドスイッチ３３は、取付枠２の中段に取付けられたスイッチ本体５と、スイッチ本体５に連結されてシーソー動作し、そのシーソー動作により照明器具等の負荷をオン・オフさせるワイドタイプの第２スイッチハンドル３６とにより構成されている。第２スイッチハンドル３６の裏面には第１スイッチハンドル３４と同様に２つの係合凸部３５ａ、３５ｂが形成され、この第２ワイドスイッチ３３では係合凸部３５ｂが係合凹部７に係合されている。
【００３１】
第１スイッチハンドル３４と第２スイッチハンドル３６との縦寸法は、化粧プレート２４の開口部２７における第１スイッチハンドル３４と第２スイッチハンドル３６とが位置する領域の縦寸法“２ａ″”の１／２に設定されている。また、これらの第１・第２スイッチハンドル３４、３６の縦・横寸法は、大角形の配線器具の作用部である当該配線器具のスイッチハンドルより大きく設定されている。
【００３２】
このような構成において、本実施の形態の配線器具ユニット３１では、第１の実施の形態の配線器具ユニット２１と同じように、既存の汎用型のコンセント１０をそのまま使用することができ、新たな部品としては、第１スイッチハンドル３４と第２スイッチハンドル３６と化粧プレート２４とを形成すればよく、これらの第１スイッチハンドル３４、第２スイッチハンドル３６、化粧プレート２４の形成を安価に行える。しかも、第１スイッチハンドル３４と第２スイッチハンドル３６とを共通化することができる。
【００３３】
このため、規格化された大角形の配線器具を３つまで取付けられるサイズに形成された取付枠２に２つのワイドスイッチ（第１ワイドスイッチ３２、第２ワイドスイッチ３３）と大角形の配線器具である１つのコンセント１０とを取付ける場合において、既存の汎用型のコンセント１０を用いることにより、安価な構造の配線器具ユニット３１を構成することができる。
【００３４】
また、第１スイッチハンドル３４と第２スイッチハンドル３６とを共通化することにより、部品コストが低減される。
【００３５】
【発明の効果】請求項１記載の発明の配線器具ユニットによれば、第１ワイドスイッチと第２ワイドスイッチと大角形の配線器具とを取付枠に取付けた場合、既存の大角形の配線器具をそのまま使用することができ、安価な構造の配線器具ユニットを提供できる。
【００３６】
請求項２記載の発明によれば、請求項１記載の配線器具ユニットにおいて、前記第１スイッチハンドルと前記第２スイッチハンドルとの縦寸法は、前記化粧プレートの前記開口部における前記第１スイッチハンドルと前記第２スイッチハンドルとが位置する領域の縦寸法の１／２に設定されているので、第１スイッチハンドルと第２スイッチハンドルとが同じサイズになり、共通化を図ることができる。
【図面の簡単な説明】
【図１】本発明の第１の実施の形態の配線器具ユニットを示すもので、（ａ）は正面図、（ｂ）は一部を断面にした側面図である。
【図２】その変形例を示す正面図である。
【図３】本発明の第２の実施の形態の配線器具ユニットを示すもので、（ａ）は正面図、（ｂ）は一部を断面にした側面図である。
【図４】３つのワイドスイッチを取付けた従来例の配線器具ユニットを示すもので、（ａ）は正面図、（ｂ）は一部を断面にした側面図である。
【図５】図４に示した配線器具ユニットにおいて、１つのワイドスイッチに代えて大角形の配線器具である既存のコンセントを取付けようとした場合に生じる不都合について説明する説明図である。
【図６】２つのワイドスイッチと大角形の配線器具である１つのコンセントとを有する従来例の配線器具ユニットを示すもので、（ａ）は正面図、（ｂ）は一部を断面にした側面図である。
【符号の説明】
２：取付枠、６：第１スイッチハンドル、１０：大角形の配線器具、２２：第１ワイドスイッチ、２３：第２ワイドスイッチ、２４：化粧プレート、２４ａ：化粧プレート、２５：第２スイッチハンドル、２７：開口部、３２：第１ワイドスイッチ、３３：第２ワイドスイッチ、３４：第１スイッチハンドル、３６：第２スイッチハンドル
【図１】
2004201381.tif 000003
【図２】
2004201381.tif 000004
【図３】
2004201381.tif 000005
【図４】
2004201381.tif 000006
【図５】
2004201381.tif 000007
【図６】
2004201381.tif 000008